(57)【要約】  配置図を監視対象空間ごとの領域に区分して、各領域に配置されている設備機器とその区画識別情報とを対応させることができる空気調和システムの管理装置を得る。  位置情報３００および区画情報に基づき、各設備機器に、設置位置に対応する領域の区画情報５００を割り当て、複数の設備機器を区画情報５００ごとに区分して、状態の監視および動作の制御の少なくとも一方を行う。
2012123989.tif 000002
【特許請求の範囲】
【請求項１】
少なくとも空調機を含む複数の設備機器の状態の監視および動作を制御する、空気調和システムの管理装置であって、
１つまたは複数の監視対象空間の配置を示す配置図の情報、前記配置図における前記設備機器の設置位置を示す位置情報、および、前記配置図を、少なくとも前記監視対象空間ごとの領域に区分して、各領域の範囲を示す範囲情報と各領域を識別する区画識別情報とを有する区画情報、が記憶される記憶装置と、
表示装置と、
前記配置図の情報および前記位置情報に基づき、前記設備機器の設置位置を表示した前記配置図を前記表示装置に表示させると共に、
前記位置情報および前記区画情報に基づき、前記各設備機器に、前記設置位置に対応する前記領域の区画識別情報を割り当て、
前記複数の設備機器を前記区画識別情報ごとに区分して、状態の監視および動作の制御の少なくとも一方を行う制御装置と、
を備えた
ことを特徴とする空気調和システムの管理装置。
【請求項２】
前記区画情報の範囲情報は、前記配置図を、各領域ごとに彩色した画像の情報であり、
前記区画情報の区画識別情報は、前記画像の色ごとに付与され、
前記制御装置は、
前記各設備機器に、前記画像における設置位置の色に対応する前記区画識別情報を割り当てる
ことを特徴とする請求項１記載の空気調和システムの管理装置。
【請求項３】
前記記憶装置は、
１つの前記配置図の情報に対して複数の前記区画情報が記憶され、
前記制御装置は、
前記複数の区画情報の何れかを選択し、選択した区画情報に基づき、前記各設備機器に、設置位置に対応する前記領域の区画識別情報を割り当てる
ことを特徴とする請求項１または２記載の空気調和システムの管理装置。
【請求項４】
前記各設備機器の状態を示す状態データを取得するデータ取得装置を備え、
前記制御装置は、
前記配置図内の設備機器の表示に対応して、前記状態データに関する情報を表示させる
ことを特徴とする請求項１〜３の何れか１項に記載の空気調和システムの管理装置。
【請求項５】
前記記憶装置は、
前記各領域に対応する前記監視対象空間を識別する区画種別情報が記憶され、
前記制御装置は、
空調機である前記設備機器の前記状態データに基づき、運転中の空調機から吹き出される空気の到達範囲を示す前記配置図内の表示を、当該空調機の設置位置の前記領域内、および、前記区画種別情報が同一の前記領域内にのみ表示させる
ことを特徴とする請求項４記載の空気調和システムの管理装置。
【請求項６】
前記配置図は、平面図であり、
前記記憶装置は、
空調機である前記設備機器の、空気吹出口の数、前記平面図における前記空気吹出口の方向、前記空気吹出口から吹き出される空気が到達する水平方向の範囲、および、前記空気吹出口から吹き出される空気が到達する距離の最大値、の情報を有する能力情報が記憶され、
前記データ取得装置は、
空調機である前記設備機器からの前記状態データとして、前記空気吹出口から吹き出された空気の垂直方向に対する方向、および、前記空気吹出口から吹き出された空気の風速、の情報を取得し、
前記制御装置は、
前記能力情報と、前記状態データと、前記表示装置に表示される前記平面図の画素あたりの前記監視対象空間での距離の情報と、に基づき、前記平面図において前記空調機から吹き出される空気の到達範囲を求め、
この到達範囲のうち、当該空調機の設置位置の前記領域内、および、前記区画種別情報が同一の前記領域内にのみ、空調機から吹き出される空気の到達範囲を示す表示をさせる
ことを特徴とする請求項５記載の空気調和システムの管理装置。
【請求項７】
前記制御装置は、
複数の前記空調機の前記到達範囲を示す表示が重複する場合、当該複数の空調機のうちの少なくとも１つについて、吹き出し空気の方向、風速、および、運転の停止の少なくとも１つを制御して、前記到達範囲の重複を低減させる
ことを特徴とする請求項６記載の空気調和システムの管理装置。
【請求項８】
前記記憶装置は、
前記各領域に対応する前記監視対象空間を識別し、且つ、前記監視対象空間が温度上昇が許容されるか否かを示す区画種別情報が記憶され、
前記制御装置は、
前記区画種別情報および前記区画情報に基づいて、温度上昇が許容されない前記監視対象空間に設置された空調機である前記設備機器を検出し、
検出した前記空調機の、停止状態、または、冷房以外の運転モードを、前記状態データにより検出した場合、
前記配置図内の当該監視対象空間に、警告情報、または、警告に対応する所定の色を表示させる
ことを特徴とする請求項４記載の空気調和システムの管理装置。
【請求項９】
前記記憶装置は、
前記各領域に対応する前記監視対象空間を識別し、且つ、前記監視対象空間が温度上昇が許容されるか否かを示す区画種別情報が記憶され、
前記制御装置は、
前記状態データに基づき、温度上昇が許容されない前記監視対象空間内の温度を検出し、
検出した前記温度が所定値より大きい場合、前記配置図内の当該監視対象空間に、警告情報、または、警告に対応する所定の色を表示させる
ことを特徴とする請求項４記載の空気調和システムの管理装置。
【請求項１０】
前記制御装置は、
同一の区画識別情報を割り当てた空調機である前記設備機器ごとに、運転または停止状態、および、暖房または冷房運転モードの何れであるかを、前記状態データに基づき検出し、
前記配置図内の当該区画識別情報に対応する前記領域に、前記検出結果の情報、または、前記検出結果に対応する色を表示させる
ことを特徴とする請求項４〜９の何れか１項に記載の空気調和システムの管理装置。
【請求項１１】
前記制御装置は、
同一の区画識別情報を割り当てた空調機である前記設備機器ごとに、異常の有無を、
前記状態データに基づき検出し、
前記配置図内の当該区画識別情報に対応する前記領域に、前記検出結果の情報、または、前記検出結果に対応する色を表示させる
ことを特徴とする請求項４〜１０の何れか１項に記載の空気調和システムの管理装置。
【請求項１２】
前記制御装置は、
同一の区画識別情報を割り当てた前記設備機器ごとに、瞬間電力の合計値、一定期間の消費電力量の合計値、または、当該区画識別情報に対応する前記領域の単位面積あたりの消費電力を、前記状態データに基づき算出し、
前記配置図内の当該区画識別情報に対応する前記領域に、前記算出値の情報、または、前記算出値に対応する色を表示させる
ことを特徴とする請求項４〜１１の何れか１項に記載の空気調和システムの管理装置。
【請求項１３】
前記制御装置は、
同一の区画識別情報を割り当てた前記設備機器ごとに、瞬間電力の合計値、一定期間の消費電力量の合計値、または、当該区画識別情報に対応する前記領域の単位面積あたりの消費電力を、前記状態データに基づき算出し、
前記算出値が所定値を超えた場合、前記配置図内の当該区画識別情報に対応する前記領域に、前記算出値の情報、または、所定の色を表示させる
ことを特徴とする請求項４〜１１の何れか１項に記載の空気調和システムの管理装置。
【請求項１４】
前記制御装置は、
同一の区画識別情報を割り当てた前記設備機器ごとに、瞬間電力の合計値、一定期間の消費電力量の合計値、または、当該区画識別情報に対応する前記領域の単位面積あたりの消費電力を、前記状態データに基づき算出し、該算出値を記憶し、
記憶した前記算出値に対する現在の前記算出値の増減値を求め、
前記配置図内の当該区画識別情報に対応する前記領域に、前記増減値の情報、または、前記増減値に対応する色を表示させる
ことを特徴とする請求項４〜１３の何れか１項に記載の空気調和システムの管理装置。
【請求項１５】
前記制御装置は、
同一の区画識別情報を割り当てた空調機である前記設備機器ごとに、各空調機に設定された設定温度と前記監視対象空間内の温度との差の平均値を、前記状態データに基づき算出し、
前記配置図内の当該区画識別情報に対応する前記領域に、前記算出値の情報、または、前記算出値に対応する色を表示させる
ことを特徴とする請求項４〜１４の何れか１項に記載の空気調和システムの管理装置。
【請求項１６】
前記制御装置は、
同一の区画識別情報を割り当てた空調機である前記設備機器ごとに、各空調機に設定された設定温度と外気温度との差の平均値を、前記状態データに基づき算出し、
前記配置図内の当該区画識別情報に対応する前記領域に、前記算出値の情報、または、前記算出値に対応する色を表示させる
ことを特徴とする請求項４〜１４の何れか１項に記載の空気調和システムの管理装置。
【請求項１７】
前記監視対象空間ごとに目標設定温度の設定を入力する入力装置を備え、
前記制御装置は、
同一の区画識別情報を割り当てた空調機である前記設備機器ごとに、各空調機に設定された設定温度と、前記監視対象空間ごとに設定した目標設定温度との差の平均値を、前記状態データに基づき算出し、
前記配置図内の当該区画識別情報に対応する前記領域に、前記算出した平均値の情報、または、前記算出した平均値に対応する色を表示させる
ことを特徴とする請求項４〜１４の何れか１項に記載の空気調和システムの管理装置。
【請求項１８】
前記各設備機器の状態を示す状態データを取得するデータ取得装置を備え、
前記記憶装置は、
連動制御を実施させるための条件である連動条件の情報と、前記連動条件を設定する前記設備機器である連動元機器の情報と、連動制御の対象となる前記設備機器である連動先機器の情報と、前記連動元機器が前記連動条件を満たしたとき前記連動先機器を動作させるための連動動作の情報と、を有する連動設定情報が記憶され、
前記制御装置は、
前記連動元機器が連動条件を満たしたとき、当該連動元機器と同一の区画識別情報を割り当てた前記連動先機器を、前記連動動作の情報に従い動作させる
ことを特徴とする請求項１〜３の何れか１項に記載の空気調和システムの管理装置。
【請求項１９】
前記各設備機器の状態を示す状態データを取得するデータ取得装置を備え、
前記配置図は、平面図であり、
前記制御装置は、
前記表示装置に表示される前記平面図の画素あたりの前記監視対象空間での距離の情報に基づき、前記監視対象空間の平面面積を求め、
空調機である前記設備機器の設置位置に対応する前記監視対象空間の前記平面面積に応じて、当該空調機の吹き出し空気の風速を制御する
ことを特徴とする請求項１〜３の何れか１項に記載の空気調和システムの管理装置。
【請求項２０】
前記各設備機器の状態を示す状態データを取得するデータ取得装置を備え、
前記記憶装置は、
前記各領域に対応する前記監視対象空間を識別する区画種別情報と、
時刻、日付、および曜日の少なくとも１つに応じた前記監視対象空間の利用の有無の情報が、前記区画種別情報ごとに設定されたスケジュール設定情報と、が記憶され、
前記制御装置は、
前記区画種別情報および前記スケジュール設定情報に基づいて、利用が無い前記監視対象空間に設置された、前記設備機器の動作を停止させる
ことを特徴とする請求項１〜３の何れか１項に記載の空気調和システムの管理装置。
【請求項２１】
前記各設備機器の状態を示す状態データを取得するデータ取得装置を備え、
前記制御装置は、
同一の区画識別情報を割り当てた空調機である前記設備機器ごとに、各空調機に設定された設定温度と外気温度との差の平均値を、前記状態データに基づき算出し、
前記算出値が所定値より小さくなるように、前記各空調機の設定温度を設定する
ことを特徴とする請求項１〜３の何れか１項に記載の空気調和システムの管理装置。
【発明の詳細な説明】
【技術分野】
【０００１】
この発明は、少なくとも空調機を含む複数の設備機器の動作を制御する、空気調和システムの管理装置に関する。
【背景技術】
【０００２】
従来の技術においては、例えば、「前記操作端末用通信管理部から受信した上記運転データ、上記平面図情報および上記位置情報に基づき、上記プログラムを用いて上記表示部上のＷｅｂブラウザ画面に平面図、設備アイコン及び設備の運転状態を表示」する空調設備管理システムが提案されている（例えば、特許文献１参照）。
【先行技術文献】
【特許文献】
【０００３】
【特許文献１】特許第４２６６５５８号公報（請求項１）
【発明の概要】
【発明が解決しようとする課題】
【０００４】
従来の技術では、平面図（配置図）の画像と設備アイコンとを単に合成して表示させるだけであり、配置図における位置に関する情報を何ら利用していなかった。
例えばどの部屋（監視対象空間）に設置された設備機器がどのような運転であるかを監視する場合や、部屋単位での制御などを行う場合には、使用者からの入力操作によって、手動でグループ設定を行う必要が有り、利便性が悪いという問題点があった。【０００５】
また、複数の設備機器を監視・制御する管理装置においては、配置図上における各部屋に設置された設備機器が、どのような運転状態であるのかや異常状態の有無を、視覚的に認識し易いことが望まれている。【０００６】
この発明は、上記のような課題を解決するためになされたもので、第１の目的は、配置図を監視対象空間ごとの領域に区分して、各領域に配置されている設備機器とその区画識別情報とを対応させることができる空気調和システムの管理装置を得るものである。
第２の目的は、配置図を監視対象空間ごとの領域に区分して、各領域における設備機器の運転状態を、視覚的に認識し易くすることができる空気調和システムの管理装置を得るものである。
【課題を解決するための手段】
【０００７】
この発明に係る空気調和システムの管理装置は、少なくとも空調機を含む複数の設備機器の状態の監視および動作を制御する、空気調和システムの管理装置であって、１つまたは複数の監視対象空間の配置を示す配置図の情報、前記配置図における前記設備機器の設置位置を示す位置情報、および、前記配置図を、少なくとも前記監視対象空間ごとの領域に区分して、各領域の範囲を示す範囲情報と各領域を識別する区画識別情報とを有する区画情報、が記憶される記憶装置と、表示装置と、前記配置図の情報および前記位置情報に基づき、前記設備機器の設置位置を表示した前記配置図を前記表示装置に表示させると共に、前記位置情報および前記区画情報に基づき、前記各設備機器に、設置位置に対応する前記領域の区画識別情報を割り当て、前記複数の設備機器を前記区画識別情報ごとに区分して、状態の監視および動作の制御の少なくとも一方を行う制御装置と、を備えたものである。
【発明の効果】
【０００８】
この発明は、配置図を監視対象空間ごとの領域に区分して、各領域に配置されている設備機器とその区画識別情報とを対応させることができる。
【図面の簡単な説明】
【０００９】
【図１】実施の形態１に係る空気調和システムの構成を示す図である。
【図２】実施の形態１に係る管理装置の構成を示す図である。
【図２Ａ】実施の形態１に係る配置図の構成を示す図である。
【図３】実施の形態１に係る位置情報のデータ構成を示す図である。
【図４】実施の形態１に係る設備アイコンを示す図である。
【図５】実施の形態１に係る座標定義を説明する図である。
【図６】実施の形態１に係る区画図の構成を示す図である。
【図７】実施の形態１に係る区画識別情報のデータ構成を示す図である。
【図８】実施の形態１に係る配置図画面を示す図である。
【図９】実施の形態１に係る区画番号の割り当てを示す図である。
【図１０】実施の形態１に係る状態監視結果の一例を示す図である。
【図１１】実施の形態１に係る状態監視結果の一例を示す図である。
【図１２】実施の形態２に係る能力情報のデータ構成を示す図である。
【図１３】実施の形態２に係る状態データのデータ構成を示す図である。
【図１４】実施の形態２に係る風到達範囲の表示動作を示すフローチャートである。
【図１５】実施の形態２に係る風到達範囲の表示動作を説明する図である。
【図１６】実施の形態２に係る風到達範囲の表示動作を説明する図である。
【図１７】実施の形態２に係る風到達範囲の表示動作を説明する図である。
【図１８】実施の形態２に係る風到達範囲の表示動作を説明する図である。
【図１９】実施の形態２に係る風到達範囲の表示結果を説明する図である。
【図２０】実施の形態２に係る風到達範囲の制御動作を説明する図である。
【図２１】実施の形態６に係る連動設定情報のデータ構成を示す図である。
【図２２】実施の形態８に係るスケジュール設定情報のデータ構成を示す図である。
【発明を実施するための形態】
【００１０】
実施の形態１．
図１は実施の形態１に係る空気調和システムの構成を示す図である。
図１において、空気調和システムは、管理装置１００、空調機コントローラ１０１、汎用コントローラ１０２、空調機１０、照明機器２０、カードキー３０、および換気設備４０を備えている。
【００１１】
なお、「管理装置１００」は、本発明における「空気調和システムの管理装置」に相当する。
また、「空調機１０」、「照明機器２０」、「カードキー３０」、「換気設備４０」は、本発明における「設備機器」に相当する。
なお、以下の説明において、「空調機１０」、「照明機器２０」、「カードキー３０」、「換気設備４０」を区別しないときは、単に「設備機器」ともいう。
【００１２】
なお、本発明における「設備機器」としては、これに限るものではなく、任意の機器を任意の台数だけ用いることが可能である。
【００１３】
管理装置１００は、空調機コントローラ１０１を介して、１または複数の空調機１０と通信線を介して接続される。
空調機コントローラ１０１は、管理装置１００からの制御信号、または空調機１０のリモコン等からの制御信号に基づき、各空調機１０の動作を制御する。
また、空調機コントローラ１０１は、各空調機１０から状態データを取得して管理装置１００へ送信する。
空調機１０は、制御信号に基づき動作して、配置された空調対象空間を空調する。また、空調機１０は、状態データを空調機コントローラ１０１へ送信する。
空調機１０の状態データとしては、例えば、設備機器ＩＤ、運転／停止、運転モード、風向設定、風速設定、設定温度、室内温度、外気温度、異常有無などの情報がある。詳細は後述する。
【００１４】
管理装置１００は、汎用コントローラ１０２を介して、照明機器２０、カードキー３０、および換気設備４０と通信線を介して接続される。
汎用コントローラ１０２は、管理装置１００からの制御信号、または各設備機器からの状態データ等に基づき、各設備機器の動作を制御する。
また、汎用コントローラ１０２は、各設備機器から取得した状態データを管理装置１００へ送信する。
照明機器２０、カードキー３０、および換気設備４０の状態データとしては、例えば、設備機器ＩＤ、ＯＮ／ＯＦＦ、異常有無などの情報がある。
【００１５】
このような構成により、管理装置１００は、各設備機器を統括制御する。
また、管理装置１００は、後述する区画番号（区画識別情報）を各設備機器に割り当て、複数の設備機器を区画番号ごとに区分して、状態の監視と動作の制御を行うものである。
次に、このような動作を行う管理装置１００の構成を説明する。
【００１６】
図２は実施の形態１に係る管理装置の構成を示す図である。
図２に示すように、管理装置１００は、制御装置１１０、入力装置１３０、表示装置１４０、記憶装置１５０、および通信装置１６０を備えている。
【００１７】
制御装置１１０は、通信装置１６０が受信した各設備機器からの状態データや、入力装置１３０から入力された設定情報などに基づいて、各設備機器を制御する。
また、制御装置１１０は、表示装置１４０に配置図を表示させると共に、配置図内の設備機器の表示に対応して、状態データに関する情報を表示させる。詳細は後述する。
【００１８】
入力装置１３０は、各設備機器に対する操作を、使用者が入力するためのインターフェースである。
表示装置１４０は、制御装置１１０からの指示により、配置図や、各種メニュー画面、操作入力画面などを表示する。
【００１９】
記憶装置１５０は、配置図２００、位置情報３００、区画図４００、および、区画情報５００の各情報が記憶される。詳細は後述する。
【００２０】
なお、制御装置１１０は、この機能を実現する回路デバイスなどのハードウェアで実現することもできるし、マイコンやＣＰＵなどの演算装置上で実行されるソフトウェアとして実現することもできる。
入力装置１３０は、タッチパネル、キーボードやマウスなどにより構成することができる。
表示装置１４０は、ＬＣＤ（Ｌｉｑｕｉｄ  Ｃｒｙｓｔａｌ  Ｄｉｓｐｌａｙ）等の任意の装置により構成することができる。
記憶装置１５０は、ＨＤＤ（Ｈａｒｄ  Ｄｉｓｋ  Ｄｒｉｖｅ）やフラッシュメモリ等の任意の記憶媒体により構成することができる。
通信装置１６０は、ＬＡＮインターフェースなどの任意のネットワークインターフェースにより構成することができる。
【００２１】
なお、「通信装置１６０」は、本発明における「データ取得装置」に相当する。
【００２２】
以上、本実施の形態における管理装置１００の構成について説明した。
次に、記憶装置１５０に記憶される、配置図２００、位置情報３００、区画図４００、および、区画情報５００について説明する。
【００２３】
［配置図２００］
図２Ａは実施の形態１に係る配置図の構成を示す図である。
配置図２００は、設備機器が設置される１つまたは複数の監視対象空間の配置を示すレイアウト図（平面図）である。
図２Ａの例では、配置図２００は、監視対象空間としての会議室Ａ、Ｂ、電算室、部屋Ａ、廊下の形状・配置を示す画像により構成されている。なお、監視対象空間が１つの場合はその形状のみを示す画像としても良い。なお、この配置図２００には、監視対象空間に設けられている扉や階段、柱などの構造物を示しても良いし、文字を付しても良い。
なお、この配置図２００は、監視対象空間の広さや階数などに応じて、複数設けるようにしても良い。また、配置図２００は、平面図に限らず、俯瞰図など任意の図を用いても良い。
【００２４】
［位置情報３００］
図３は実施の形態１に係る位置情報のデータ構成を示す図である。
位置情報３００は、配置図２００における各設備機器の設置位置を示す情報である。
図３に示すように、位置情報３００は、設備機器ＩＤ、設備機器名、設備アイコンＩＤ、座標Ｘ、座標Ｙを有している。
設備機器ＩＤは、各設備機器を識別する情報である。例えば、各設備機器にそれぞれ固有の番号である。
設備機器名は、各設備機器にそれぞれ付した名称である。例えば、設置する監視対象空間の名称と機種などを基に付した名称である。なお、この設備機器名の情報は省略しても良い。
設備アイコンＩＤは、配置図２００上に表示させる設備アイコン（設備機器を示す図形）を識別する情報である。例えば、設備機器の機種に応じて付された情報である。
この設備アイコンは、管理装置１００の監視対象となる設備機器の機種に応じて、予め記憶装置１５０に記憶されている。
例えば図４に示すように、記憶装置１５０には、空調機Ａ表示２０１、空調機Ｂ表示２０２、空調機Ｃ表示２０３、照明機器表示２０４、換気設備表示２０５、および、カードキー表示２０６の各画像情報が記憶されている。そして、各表示にはそれぞれ設備アイコンＩＤが付与されている。
例えば、空調機Ａ表示２０１の設備アイコンＩＤは「１」である。空調機Ｂ表示２０２の設備アイコンＩＤは「２」である。空調機Ｃ表示２０３の設備アイコンＩＤは「３」である。照明機器表示２０４の設備アイコンＩＤは「４」である。換気設備表示２０５の設備アイコンＩＤは「５」である。カードキー表示２０６の設備アイコンＩＤは「６」である。
【００２５】
位置情報３００の座標Ｘおよび座標Ｙは、配置図２００上において、設備アイコンを表示させる位置を示す情報である。例えば図５に示すように、配置図２００の横軸をＸ軸、縦軸をＹ軸として、配置図２００の画素と座標とを対応させる。例えば座標（Ｘ，Ｙ）＝（２００，２００）の場合、画面左上端から右方向に２００画素、下方向に２００画素の位置を示している。なお、座標の定義はこれに限るものではなく、ベクトル座標などを用いても良い。
【００２６】
［区画図４００］
図６は実施の形態１に係る区画図の構成を示す図である。
区画図４００は、配置図２００を、少なくとも監視対象空間ごとの領域に区分して、各領域の範囲を示す情報である。例えば、区画図４００は、配置図２００を各領域ごとに彩色した画像の情報である。
図６の例では、区画図４００は、赤（Ｒ）・緑（Ｇ）・青（Ｇ）の各色の輝度を０〜２５５の範囲で設定することで、彩色した画像である。
配置図２００の会議室Ａの領域に対応して、緑（Ｒ，Ｇ，Ｂ）＝（０，２５５，０）に彩色している。
配置図２００の会議室Ｂの領域に対応して、青（Ｒ，Ｇ，Ｂ）＝（０，０，２５５）に彩色している。
配置図２００の電算室の領域に対応して、赤（Ｒ，Ｇ，Ｂ）＝（２５５，０，０）に彩色している。
配置図２００の部屋Ａの上側半分の領域に対応して、マゼンタ（Ｒ，Ｇ，Ｂ）＝（２５５，０，２５５）に彩色している。
配置図２００の部屋Ａの下側半分の領域に対応して、黄（Ｒ，Ｇ，Ｂ）＝（２５５，２５５，０）に彩色している。
配置図２００の廊下の領域に対応して、黒（Ｒ，Ｇ，Ｂ）＝（０，０，０）に彩色している。
【００２７】
なお、「区画図４００」は、本発明における「範囲情報」に相当する。
なお、本実施の形態では、範囲情報として区画図４００を用いる場合を説明するが、本発明はこれに限るものではない。例えば、区分した領域を示す座標の範囲と、その領域を識別する情報などを範囲情報としても良い。
なお、図６の例では、監視対象空間に対応して四角形の領域に区分した場合を示したが、本発明はこれに限るものではなく、曲線や円などどのような図形でもよいし、複数図形を組み合わせた複雑なものであっても良い。また、同色の領域が複数あっても良いし、区画分けされない箇所があっても良い。
【００２８】
［区画情報５００］
図７は実施の形態１に係る区画識別情報のデータ構成を示す図である。
区画情報５００は、配置図２００を区分した各領域を識別する情報である。
図７に示すように、区画情報５００は、区画番号、画像色、および、区画種別を有している。
区画番号は、区画図４００の画像の色ごとに付与されたそれぞれ固有の番号である。なお、区画番号は番号に限らず、記号や文字など、各画像の色を識別する情報であれば良い。
画像色は、各区画番号を割り当てた区画図４００の画像の色を示す情報である。ここでは、画像色をＲ，Ｇ，Ｂの輝度（０〜２５５）で示している。
区画種別は、各領域に対応する監視対象空間を識別する情報である。なお、本実施の形態では、区画種別を省略しても良い。
【００２９】
図６、図７の例を用いて、具体的に説明する。
区画番号「１」の画像色は「０，２５５，０」である。つまり、図６の区画図４００の緑（Ｒ，Ｇ，Ｂ）＝（０，２５５，０）に彩色した領域は、区画番号が「１」である。また、この領域に対応する監視対象空間は「会議室Ａ」である。
同様に、図６の区画図４００のマゼンタ（Ｒ，Ｇ，Ｂ）＝（２５５，０，２５５）に彩色した領域は、区画番号が「４」であり、黄（Ｒ，Ｇ，Ｂ）＝（２５５，２５５，０）に彩色した領域は、区画番号が「５」である。そして、区画図４００のマゼンタと黄に彩色した領域の監視対象空間は、共に「部屋Ａ」である。
【００３０】
なお、「区画番号」は、本発明の「区画識別情報」に相当する。
なお、本実施の形態では、各領域を塗り分けた区画図４００に対して、各領域を塗り分けた画像色とその色に対応する区画番号を記載した区画情報５００を用いて、区画種別や区画番号と、配置図２００の領域との対応させる方法とするが、本発明はこれに限るものではない。例えば、区画図４００自体に対して各領域毎に番号と種別とを保有させた情報を元に、当該領域に対応させる区画番号と区画種別を識別しても良い。また、画像色の種別で区画の種類（赤系統は部屋、青系統は通路など）を、自動的に識別するようにしても良い。また、領域を示す座標の範囲と、その領域に対応する区画番号と区画種別とからなるデータ列等でも良い。
【００３１】
次に、各設備機器の設置位置を表示した配置図２００の表示の動作と、各設備機器への区画番号の割り当て動作について説明する。
【００３２】
［配置図表示］
図８は実施の形態１に係る配置図画面を示す図である。
例えば管理装置１００を起動した際や使用者からの操作によって、以下の手順により配置図表示の動作を実行する。
（１）制御装置１１０は、記憶装置１５０に記憶された配置図２００を読み込む。
（２）制御装置１１０は、位置情報３００を参照し、各設備機器ＩＤのそれぞれについて、設備アイコンＩＤに対応する設備アイコン（２０１〜２０６）を記憶装置１５０から読み込む（図８（ａ））。
（３）制御装置１１０は、位置情報３００の座標Ｘ、Ｙに基づき、配置図２００の対応する座標位置に、読み込んだ各設備アイコンを合成し、各設備機器の設置位置を表示した配置図２００を生成する（図８（ｂ））。
（４）制御装置１１０は、各設備機器の設置位置を表示した配置図２００を、表示装置１４０に表示させる。
【００３３】
なお、複数の配置図２００を有する場合には、使用者は、表示させる配置図２００を選択する操作を入力し、当該選択された配置図２００について上記動作を実施する。なお、所定の配置図２００を予め選択するようにしても良い。
【００３４】
このように配置図２００を生成することで、例えば改修工事などにより設備機器の増減、位置の変更があった場合でも、容易に配置図２００を修正することができる。
なお、ここでは、配置図２００と、各設備機器を示す設備アイコンとを合成する場合を説明するが、本発明はこれに限らず、予め、監視対象空間を示すレイアウトに、設備機器を表示した図を用いても良い。
【００３５】
［区画番号割り当て］
図９は実施の形態１に係る区画番号の割り当てを示す図である。
制御装置１１０は、位置情報３００および区画情報５００に基づき、各設備機器に設置位置に対応する領域の区画番号を割り当てる。ここでは、区画図４００の画像色による割り当てについて説明する。
（１）制御装置１１０は、記憶装置１５０に記憶された区画図４００を読み込む。
（２）制御装置１１０は、位置情報３００を参照し、設備機器ＩＤに対応する座標Ｘ、Ｙを取得する。
（３）制御装置１１０は、取得した座標Ｘ、Ｙに基づき、当該設備機器ＩＤの設置位置に対応する区画図４００上の画像色を得る。
（４）制御装置１１０は、区画情報５００を参照し、上記（３）で得た画像色に対応する区画番号を、当該設備機器ＩＤに割り当てる（図９）。なお、このとき区画種別の情報を当該設備機器ＩＤに割り当てるようにしても良い。
（５）全ての設備機器ＩＤについて、順次上記（１）〜（４）を実施する。
【００３６】
さらに、図６、図７の例を用いて具体的に説明する。
まず、制御装置１１０は、位置情報３００（図３）を参照し、設備機器ＩＤ「１」の座標（２００，２００）を取得する。
次に、制御装置１１０は、区画図４００における座標（２００，２００）の画像色「緑（０，２５５，０）」を得る。
制御装置１１０は、区画情報５００の画像色が緑（０，２５５，０）である区画番号「１」を、設備機器ＩＤ「１」に割り当てる。
同様の動作により、設備機器ＩＤ「２」には区画番号「２」が割り当てられる。
また、設備機器ＩＤ「３」には区画番号「３」が割り当てられる。
また、設備機器ＩＤ「４」には区画番号「３」が割り当てられる。
また、設備機器ＩＤ「５」には区画番号「４」が割り当てられる。
また、設備機器ＩＤ「６」には区画番号「４」が割り当てられる。
また、設備機器ＩＤ「７」には区画番号「５」が割り当てられる。
また、設備機器ＩＤ「８」には区画番号「５」が割り当てられる。
また、設備機器ＩＤ「９」には区画番号「４」が割り当てられる。
また、設備機器ＩＤ「１０」には区画番号「３」が割り当てられる。
また、設備機器ＩＤ「１１」には区画番号「６」が割り当てられる。
【００３７】
このように本実施の形態においては、設備機器の設置位置の領域に対応する区画番号を、各設備機器に割り当てることができる。つまり、各設備機器ごとに個別に設定入力などを行うことなく、同一の領域に配置された設備機器には同一の区画番号を割り当てることができる。
また、区画図４００は、少なくとも監視対象空間ごとの領域に区分しているので、各監視対象空間内に配置されている設備機器とその区画番号とを対応させることが容易となる。
また、区画図４００は、配置図２００を各領域ごとに彩色した画像の情報であるので、領域の区分を視覚的に認識し易くすることができる。また、使用者が、各領域の範囲を示す範囲情報を作成する際、監視対象空間と各領域との対応を容易に把握することができ、利便性を向上することができる。
【００３８】
また、各設備機器の位置情報と区画情報とを元に、自動区画分割が行えるように構成したので、配置図２００を用いた自然な区画分割を設備機器の配置だけで行えるという効果が得られる。
さらに、部屋、通路などの区画情報から設備機器の運転状態を配置図２００に表示することができ、使用者（設備機器管理者、設備機器利用者）にとって現在の設備機器の状態を従来よりもわかりやすく正確に把握することができる。
【００３９】
［監視・制御］
次に、上述した区画番号を利用した、設備機器の状態の監視、動作の制御の一例について説明する。
【００４０】
（設備機器の状態表示）
図１０、図１１は実施の形態１に係る状態監視結果の一例を示す図である。
例えば、制御装置１１０は、同一の区画番号を割り当てた空調機１０ごとに、運転または停止状態、および、暖房または冷房運転モードの何れであるかを、通信装置１６０により取得された状態データに基づき検出する。
そして、制御装置１１０は、配置図２００内の当該区画番号に対応する領域に、検出結果の情報、または、検出結果に対応する色を表示させる。
【００４１】
例えば、同一の区画番号の空調機１０の全てが停止状態の場合、当該空調機１０の設置位置に対応する領域の色を黒に表示する。
また、同一の区画番号の空調機１０の少なくとも１つについて、運転モードが冷房で運転状態の場合には、当該空調機１０の設置位置に対応する領域を緑に表示する。
また、同一の区画番号の空調機１０の少なくとも１つについて、運転モードが暖房で運転状態の場合には、当該空調機１０の設置位置に対応する領域をオレンジに表示する。
また、同一の区画番号の空調機１０について、冷房と暖房とが混在する場合には、警告表示として赤色に表示する。
図１０の例では、区画番号「３」が割り当てられた空調機１０（ＩＤ３、ＩＤ４）が何れも冷房運転であることを、状態データにより取得し、当該区画番号「３」に対応する領域を緑に表示している。
【００４２】
このように、状態データに基づき各領域の色を表示させることで、監視対象空間の全体の運転状態が色により一目で認識することができる。よって、使用者は、所望の運転状態であるか否かを容易に認識できるとともに、空調機の消し忘れなども防止することができる。
【００４３】
また図１１の例では、状態データにより検出した検出結果の情報として、運転のＯＮ／ＯＦＦ状態に応じて、設備アイコンの表示を変更する例を示している。
このように、状態データに基づき、設備アイコンの表示を変更することで、動作状態を視覚的に認識し易くすることができる。
【００４４】
（設備機器の異常表示）
制御装置１１０は、同一の区画番号を割り当てた空調機１０ごとに、異常の有無を、状態データに基づき検出する。そして、配置図２００内の当該区画番号に対応する領域に、検出結果の情報、または、検出結果に対応する色を表示させる。
【００４５】
例えば、同一の区画番号の空調機１０の少なくとも１つについて、異常が有ることを検出した場合、当該空調機１０の設置位置に対応する領域を赤に表示する。
図１０の例では、区画番号「２」が割り当てられた空調機１０（ＩＤ２）が異常状態であることを、状態データにより取得し、当該区画番号「２」に対応する領域を赤に表示している。
なお、異常が発生している設備機器の台数や、異常の内容（重要度）などに応じて、表示させる色を変化させても良い。また、表示色を点滅させるようにしても良い。
【００４６】
このように、状態データに基づき各領域の色を表示させることで、どの監視対象空間のどの領域で異常が発生しているかが一目で認識することができる。よって、使用者は、異常状態を容易に認識できる。
【００４７】
また図１１の例では、状態データにより検出した検出結果の情報として、異常の有無に応じて、設備アイコンの表示を変更する例を示している。
このように、状態データに基づき、設備アイコンの表示を変更することで、異常状態を視覚的に認識し易くすることができる。
【００４８】
（グループ制御）
制御装置１１０は、同一の区画番号を割り当てた設備機器を１つのグループとして認識し、区画番号ごとに動作の制御を行う。
例えば、制御装置１１０は、同一の区画番号を割り当てた複数の空調機１０を一括で運転または停止させる。また、同一の区画番号を割り当てた複数の空調機１０について、順番に、運転能力を弱くまたは停止させるローテーション制御を行う。
【００４９】
このように、同一の区画番号を割り当てた設備機器を１つのグループとすることで、グループ設定の操作が不要となり、利便性を向上させることができる。
また、区画番号は、少なくとも監視対象空間ごとに区分された領域に対応しているので、監視対象空間の範囲とグループ設定する設備機器とを対応させ易くすることができる。
【００５０】
実施の形態２．
本実施の形態では、各空調機１０からの状態データに基づき、運転中の空調機１０から吹き出される空気の到達範囲を示す表示を、当該空調機１０の設置位置の領域内、および、区画種別情報が同一の領域内にのみ表示させる。
なお、本実施の形態における構成は上記実施の形態１と同様であり、同一部分には同一の符号を付する。
【００５１】
［能力情報６００］
図１２は実施の形態２に係る能力情報のデータ構成を示す図である。
本実施の形態における記憶装置１５０には、予め、各空調機１０の能力情報６００が記憶されている。
この能力情報６００は、設備機器ＩＤ、設置角度、水平風向範囲角、吹出口の数、吹出口の方向、最大風到達距離を有している。
【００５２】
設置角度は、空調機１０の任意の空気吹出口を基準とした設置角度である。例えば配置図２００のＸ軸を０°とする。図１２の例では、設備機器ＩＤ「１」の空調機１０は、その空気吹出口が「３１５°」の方向となるように設置されていることを示す。なお、この設置角度の情報は省略しても良い。
水平風向範囲角は、空調機１０の１つの空気吹出口から吹き出される空気が到達する水平方向の範囲を示す。
吹出口の数は、空調機１０に設けられている空気吹出口の数を示す。
吹出口の方向は、配置図２００における空気吹出口の方向（水平方向の角度）を示す。例えば任意の１つの吹出口を基準とする。例えば吹出口の数が「２方向」の場合、１つの吹出口を基準「０°」とし、これに対する他方の吹出口の水平方向の角度を示す。図１２の例では、設備機器ＩＤ「３」の空調機１０は、２方向の吹出口のうち、一方を「０°」としたとき、他方が「１８０°」の方向であることを示している。
最大風到達距離は、空調機１０の空気吹出口から吹き出される空気が到達する距離の最大値を示す。
【００５３】
［状態データ７００］
図１３は実施の形態２に係る状態データのデータ構成を示す図である。
本実施の形態において、各空調機１０は管理装置１００に対して、状態データ７００を送信する。
この状態データ７００は、設備機器ＩＤ、運転／停止、運転モード、風向設定、風速設定を有している。
【００５４】
運転／停止は、空調機１０が運転中であるか停止中であるかを示す。
運転モードは、空調機１０が暖房、冷房、送風などの何れのモードであるかを示す。
風向設定は、空気吹出口から吹き出された空気の垂直方向に対する方向を示す。例えば、水平方向を角度０°、垂直下方向を角度９０°とする。図１３の例で、風向設定が「斜め１」の場合、水平方向に対し下向きに角度６０°の風向であることを示す。また例えば、「斜め２」の場合、水平方向に対し下向きに角度９０°の風向であることを示す。また「スイング」の場合は、所定の角度範囲でスイングしていることを示す。
風速設定は、空気吹出口から吹き出された空気の風速を示す情報である。例えば最大風速設定を４として、これを４分割した風速を設定する。図１３の例で、風速設定が「４」の場合最大風速設定であり、「２」の場合最大風速の５０％の風速であることを示す。
【００５５】
［風到達範囲の表示］
図１４は実施の形態２に係る風到達範囲の表示動作を示すフローチャートである。
図１５〜図１８は実施の形態２に係る風到達範囲の表示動作を説明する図である。
【００５６】
本実施の形態の制御装置１１０は、上記実施の形態１で説明した区画番号の割り当ての後、風到達範囲の表示動作を行う。
以下、図１４の各ステップに基づき、図１５〜図１８を参照しつつ説明する。
【００５７】
（Ｓ２０１）
通信装置１６０は、各空調機１０から状態データ７００を取得し、制御装置１１０に入力する。
（Ｓ２０２）
制御装置１１０は、能力情報６００に基づき、風表示角度を決定する。
配置図２００のＸ軸を角度０°として、具体的に説明する。
図１２の能力情報６００の例で、設備機器ＩＤ「３」の空調機１０は、水平方向範囲角が「６０°」、吹出口の数が「２方向」、吹出口の方向が「０°，１８０°」である。
これらの情報から、図１５（ａ）に示すように、角度０°を基準とした６０°の範囲（＋３０°〜−３０°）と、角度１８０°を基準とした６０°の範囲（１５０°〜２１０°）とを、風表示角度を決定する。
つまり、風表示角度は、当該空調機１０から水平方向に広がる風の範囲を示している。
【００５８】
（Ｓ２０３）
次に、制御装置１１０は、能力情報６００と、状態データ７００と、配置図２００の画素あたりの監視対象空間での距離の情報に基づき、風表示範囲を決定する。
なお、配置図２００の画素あたりの監視対象空間での距離の情報は、予め、記憶装置１５０に記憶させても良いし、入力装置１３０から入力するようにしても良い。
ここでは、配置図２００の画素（ピクセル）あたりの監視対象空間での距離を０．０１［ｍ］とする。また、水平方向を角度０°、垂直下方向を角度９０°とする。以下具体的に説明する。
図１３の状態データ７００の例で、設備機器ＩＤ「３」の空調機１０は、風向設定が「斜め１」で角度６０°、風速設定「２」で最大風速の５０％の運転である。また、設備機器ＩＤ「３」の最大風到達距離は「２．０ｍ」である。
これらの情報から、図１５（ｂ）に示すように、以下の計算式で風表示範囲が求められる。
【００５９】
最大風到達距離×風速設定×｜ｃｏｓ（風向設定）｜÷１ピクセルあたりの距離
【００６０】
上記例の場合、風表示範囲は設備機器ＩＤ「３」の中心から半径２．０ｍ×５０％×０．５÷０．０１ｍ＝７５［ピクセル］の範囲が、風表示範囲となる。
【００６１】
（Ｓ２０４）
制御装置１１０は、風表示角度の範囲に含まれ、且つ、風表示範囲に含まれる配置図２００上の画素を、表示判定ピクセル２１０として検出する。
つまり、表示判定ピクセル２１０は、配置図２００において空調機１０から吹き出される空気の到達範囲である。
この到達範囲は、空調機１０の設置位置とは無関係に、空調機１０の能力と現在の運転状態とから決定されるものである。即ち、例えば到達範囲に廊下と部屋Ａとが含まれるなど、異なる監視対象空間が含まれる場合、実際には壁などで風が遮られ、風が到達しない範囲をも含むこととなる。
このため、以下の動作により、区画番号と区画種別の情報を用いて、風が到達しない範囲を判定する。
【００６２】
（Ｓ２０５）
制御装置１１０は、表示判定ピクセル２１０のうち、次の画素を選択する。ここで、最初に実行する際は、表示判定ピクセル２１０のうち、座標値が最も大きい画素など、所定の画素を選択する。
【００６３】
（Ｓ２０６）
制御装置１１０は、選択した画素の座標と、設備機器の設置位置の座標との間を結ぶ直線上の画素を全て検出する。
【００６４】
（Ｓ２０７）
制御装置１１０は、ステップＳ２０６で検出した、直線上の全て画素が、当該設備機器に割り当てられた区画番号と同一の領域内の画素であるか否かを判断する。
例えば、設備機器ＩＤ「３」の空調機１０は、区画番号「３」が割り当てられている。区画図４００と区画情報５００とから区画番号「３」に対応する画像色「赤」を得て、ステップＳ２０６で検出した直線上の全て画素が、区画図４００の「赤」の領域内に含まれているか否かを判断する。
【００６５】
（Ｓ２０８）
直線上の全て画素が、当該設備機器に割り当てられた区画番号と同一の領域内の画素である場合、制御装置１１０は、ステップＳ２０５で選択した表示判定ピクセル２１０の画素が、実際に、空調機１０から吹き出される空気の到達する範囲の画素（到達ピクセル）であると判定する。
このように、表示判定ピクセル２１０の１つの画素と設備機器の設置位置とを結ぶ直線上の全てが同一領域、即ち、同一の監視対象空間である場合には、当該画素と設備機器との間には壁や構造物などの障害物が無く、風が到達すると判断する。
【００６６】
（Ｓ２０９）
ステップＳ２０７で、直線上の全て画素が、当該設備機器に割り当てられた区画番号と同一の領域内の画素でない場合、制御装置１１０は、ステップＳ２０６で検出した、直線上の全て画素が、当該設備機器に割り当てられた区画種別と同一の領域内の画素であるか否かを判断する。
例えば、設備機器ＩＤ「７」の空調機１０は、区画種別「部屋Ａ」が割り当てられている。区画図４００と区画情報５００とから区画種別「部屋Ａ」に対応する画像色「マゼンタ」および「黄」を得て、ステップＳ２０６で検出した直線上の全て画素が、区画図４００の「マゼンタ」または「黄」の領域内に含まれているか否かを判断する。
【００６７】
直線上の全て画素が、当該設備機器に割り当てられた区画種別と同一の領域内の画素である場合、制御装置１１０は、ステップＳ２０８に進み、ステップＳ２０５で選択した表示判定ピクセル２１０の画素が、実際に、空調機１０から吹き出される空気の到達する範囲の画素（到達ピクセル）であると判定する。
このように、表示判定ピクセル２１０の１つの画素と設備機器の設置位置とを結ぶ直線上の全てが同一の区画種別、即ち、同一の監視対象空間である場合には、当該画素と設備機器との間には壁や構造物などの障害物が無く、風が到達すると判断する。
【００６８】
（Ｓ２１０）
一方、直線上の全て画素が、当該設備機器に割り当てられた区画種別と同一の領域内の画素でない場合、制御装置１１０は、ステップＳ２０５で選択した表示判定ピクセル２１０の画素が、実際に、空調機１０から吹き出される空気の到達しない範囲の画素（不到達ピクセル）であると判定する。
このように、選択した画素と設備機器の設置位置とを結ぶ直線上の画素のうち、１つでも区画番号が異なり、且つ、区画種別も異なる場合には、当該画素と設備機器との間には壁や構造物などの障害物が有り、風が到達しないと判断する。
【００６９】
（Ｓ２１１）
制御装置１１０は、表示判定ピクセル２１０の全ての画素が終了したか否かを判断し、終了していない場合には、ステップＳ２０５に戻り、表示判定ピクセル２１０のうちから、次の画素を選択し、上記の動作を繰り返す。
【００７０】
（Ｓ２１２）
一方、表示判定ピクセル２１０の全ての画素が終了した場合、制御装置１１０は、表示判定ピクセル２１０のうち、到達ピクセルであると判定した画素について、空調機１０から吹き出される空気の到達範囲を示す表示を、表示装置１４０に描画させる。
【００７１】
このような動作により、例えば設備機器ＩＤ「３」の空調機１０は、表示判定ピクセル２１０の全てが同一の区画番号の領域内であるので、図１６に示すように、表示判定ピクセル２１０の全ての画素について、風到達範囲の表示がされる。
また、例えば設備機器ＩＤ「７」の空調機１０は、吹出口の方向が「１８０°」の方向について、表示判定ピクセル２１０の一部が、異なる区画番号、且つ、異なる区画種別であるので、図１７に示すように、表示判定ピクセル２１０の一部が不到達ピクセルと判定されて、同一の区画番号の領域内のみに、風到達範囲の表示がされる。
また、例えば設備機器ＩＤ「７」の空調機１０は、吹出口の方向が「９０°」の方向について、表示判定ピクセル２１０の一部が、異なる区画番号であるが、区画種別が同一であるので、図１８に示すように、表示判定ピクセル２１０の全ての画素について、風到達範囲の表示がされる。
このように、表示判定ピクセル２１０のうち、当該空調機１０の設置位置の領域内、および、区画種別が同一の領域内にのみ、空調機１０から吹き出される空気の到達範囲を示す表示をさせることができる。
【００７２】
図１９は実施の形態２に係る風到達範囲の表示結果を説明する図である。
図１９においては、以上のような動作により、例えば図１２の能力情報６００と図１３の状態データ７００の例で、風到達範囲を描画した結果を示している。
このように、空調機１０の状態データに基づき、運転中の空調機１０から吹き出される空気の到達範囲を示す配置図２００内の表示を、当該空調機１０の設置位置の領域内、および、区画種別情報が同一の領域内にのみ表示させる。このため、空調機１０の運転状態を視覚的に把握し易くすることができる。また、空調機１０からの風が、実際に到達する範囲を把握し易くすることができる。これにより、使用者は、過剰な空調の監視や空調不足の監視を容易に行うことができ、利便性の向上を図ることができる。
【００７３】
なお、本実施の形態においては、表示判定ピクセル２１０の座標と、設備機器の設置座標とを結ぶ直線を用いて、到達ピクセルの判定を行う動作を説明したが、本発明はこれに限るものではない。
例えば、表示判定ピクセル２１０の座標に対応する区画図４００の画像色と、設備機器の設置位置の座標に対応する区画図４００の画像色との一致判定のみを行って、到達ピクセルの判定を行っても良い。
【００７４】
なお、上記の風到達範囲の表示は、空調機１０の運転状態変化時にリアルタイムで判定を行って表示を行っても良いし、設備機器の初期設定時に予め判定を行ってデータを蓄積し、その蓄積データを用いて表示を行うなどの手段でもよい。
【００７５】
また、風到達範囲の表示色を運転モードによって変更しても良いし、風速の強弱で風到達範囲の表示色を変更しても良い。また、設備機器と表示判定ピクセル２１０の遠近で表示色を変更しても良いし、設定温度の高低で表示色を変更するなどの手段でも良い。
【００７６】
また、各設備機器の能力情報６００や、状態データ７００は、設備機器から自動収集しても良いし、管理装置１００の初期設定で設備機器のデータを入力しても良い。また、管理装置１００に外部からテーブルデータを読み込むなどの手段でもよい。
【００７７】
［風到達範囲の制御］
上記風到達範囲の表示結果に基づき、制御装置１１０は、空調機１０を制御して、風到達範囲の重複を低減させるようにしても良い。
例えば、制御装置１１０は、複数の空調機１０の到達範囲を示す表示が重複する場合、当該複数の空調機１０のうちの少なくとも１つについて、吹き出し空気の方向、風速、および、運転の停止の少なくとも１つを制御して、到達範囲の重複を低減させる。
【００７８】
図２０は実施の形態２に係る風到達範囲の制御動作を説明する図である。
図２０（ａ）は、現在の状態データ７００に基づき描画した風到達範囲の一例を示す。
図２０（ｂ）は、風到達範囲の制御を行った後の風到達範囲の一例を示す。
【００７９】
図２０（ａ）に示すように、設備機器ＩＤ「５」〜「８」の空調機１０は、それぞれ風到達範囲が一部で重複している。制御装置１１０は、このような重複を検出した場合には、例えば設備機器ＩＤ「５」および「８」の空調機１０について、風速を低下させ、風到達範囲を狭くさせる。これにより図２０（ｂ）に示すように、風到達範囲の重複を低減させる。
【００８０】
このような動作を、制御装置１１０により自動で行うことで、風到達範囲が重複する過剰な空調を抑制することができる。また、使用者は、空調機１０の運転設定の操作などを行う必要が無く、利便性の向上を図ることができる。
【００８１】
なお、本実施の形態では、空調機１０の風到達範囲を表示および制御する場合を説明したが、本発明はこれに限るものではない。例えば、照明機器２０や換気設備４０においても、実際の動作状態に応じた表示をするようにしても良い。
例えば。照明機器２０の場合、能力情報６００として、所定照度以上の明るさの範囲や、指向性の情報などを記憶させ、状態データ７００として、照明のＯＮ／ＯＦＦ、照度設定の情報などを得る。そして、所定の明るさが得られる範囲を光到達範囲として、上記動作と同様に、同一の区画番号の領域内と、同一の区画種別の領域内にのみ、当該光到達範囲の表示を描画するようにしても良い。
例えば、換気設備４０の場合、能力情報６００として、空気交換能力やその範囲の情報などを記憶させ、状態データ７００として、ＯＮ／ＯＦＦ、運転強度の設定情報などを得る。そして、空気の換気が可能となる範囲を換気範囲として、上記動作と同様に、同一の区画番号の領域内と、同一の区画種別の領域内にのみ、当該換気範囲の表示を描画するようにしても良い。
【００８２】
実施の形態３．
本実施の形態３では、上記実施の形態１の動作により各設備機器に割り当てた区画番号を利用した、設備機器の状態の監視の一例について説明する。
なお、本実施の形態における構成は上記実施の形態１と同様であり、同一部分には同一の符号を付する。
【００８３】
本実施の形態の記憶装置１５０は、区画情報５００の区画種別として、監視対象空間が温度上昇が許容されるか否かを示す情報を含める。
例えば、図７の例において、区画識別が「電算室」については、温度上昇が許容されない空間を示す。
このように本実施の形態における区画種別は、各領域に対応する監視対象空間を識別し、且つ、監視対象空間が温度上昇が許容されるか否かを示す情報である。
【００８４】
制御装置１１０は、区画情報５００の区画種別、および、区画番号に基づいて、温度上昇が許容されない監視対象空間に設置された空調機１０を検出する。
例えば図７の例では、区画種別が「電算室」の区画番号は「３」である。これにより、区画番号「３」が割り当てられた設備機器ＩＤ「３」および「４」の空調機１０を検出する。
【００８５】
制御装置１１０は、検出した空調機１０の、停止状態、または、冷房以外の運転モードを、状態データ７００により検出した場合、配置図２００内の当該監視対象空間に、警告情報、または、警告に対応する所定の色を表示させる。
例えば設備機器ＩＤ「３」および「４」の空調機１０の少なくとも１つについて、停止状態、または、冷房以外の運転モードを検出した場合、当該区画番号「３」に対応する領域を赤に表示する。
【００８６】
なお、上記動作では、停止状態、または、冷房以外の運転モードの場合に、警告表示をする場合を説明したが、温度により警告表示をするようにしても良い。
この場合、各空調機１０は、状態データ７００として、空調対象の監視対象空間内の温度の情報を送信する。制御装置１１０は、状態データ７００に基づき、温度上昇が許容されない監視対象空間内の温度を検出し、検出した温度が所定値より大きい場合、配置図２００内の当該監視対象空間に、警告情報、または、警告に対応する所定の色を表示させる。
【００８７】
このように、温度上昇が許容されない空間を識別して、状態データに基づき各領域の色を表示させることで、使用者は、温度上昇の可能性がある運転状態であることを容易に認識することができる。また、温度上昇の可能性がある領域に警告表示を行うので、どの監視対象空間のどの領域が、温度上昇が許容されていないのかが、一目で認識することができる。よって、利便性を向上させることができる。
【００８８】
なお、上記の説明では温度上昇が許容されない監視対象空間として「電算室」の場合を説明したが、例えば「食品倉庫」など一定温度以下に保つ必要が有る空間などを適宜設定することができる。
【００８９】
実施の形態４．
本実施の形態４では、上記実施の形態１の動作により各設備機器に割り当てた区画番号を利用した、設備機器の状態の監視の一例について説明する。
なお、本実施の形態における構成は上記実施の形態１と同様であり、同一部分には同一の符号を付する。
【００９０】
本実施の形態における各設備機器は、状態データ７００として、現在の消費電力の情報を送信する。制御装置１１０は、同一の区画番号を割り当てた設備機器ごとに、瞬間電力の合計値、一定期間の消費電力量の合計値、または、当該区画番号に対応する領域の単位面積あたりの消費電力を、状態データ７００に基づき算出する。
そして、制御装置１１０は、配置図２００内の当該区画情報５００に対応する領域に、算出値の情報、または、算出値に対応する色を表示させる。
【００９１】
なお、単位面積あたりの消費電力は、例えば、上記実施の形態２で説明した配置図２００の画素（ピクセル）あたりの監視対象空間での距離から、当該領域の面積を求める。そして、この領域内の設備機器の消費電力の合計値を当該領域の面積で除算することで、単位面積あたりの消費電力を求めることができる。
【００９２】
なお、上記動作では、算出値の情報または算出値に対応する色を表示をする場合を説明したが、算出値が所定値を超えた場合にのみ、当該表示をするようにしても良い。
この場合、制御装置１１０は、同一の区画情報５００を割り当てた設備機器ごとに、瞬間電力の合計値、一定期間の消費電力量の合計値、または、当該区画情報５００に対応する領域の単位面積あたりの消費電力を、状態データに基づき算出し、算出値が所定値を超えた場合、配置図２００内の当該区画情報５００に対応する領域に、算出値の情報、または、所定の色を表示させる。
【００９３】
なお、制御装置１１０は、同一の区画情報５００を割り当てた設備機器ごとに、瞬間電力の合計値、一定期間の消費電力量の合計値、または、当該区画番号に対応する領域の単位面積あたりの消費電力を、状態データ７００に基づき算出し、この算出値を定期的に記憶する。そして、記憶した算出値に対する現在の算出値の増減値を求め、配置図２００内の当該区画情報５００に対応する領域に、増減値情報、または、増減値に対応する色を表示させるようにしても良い。
例えば、前日に記憶した算出値と現在の算出値とを比較し、前日に比べて何％消費電力が増加（または減少）したかを求め、この増減値に応じた色を表示させる。
【００９４】
このように、各設備機器から現在の消費電力の情報を取得して、この消費電力に基づき各領域の色を表示させることで、各監視対象空間で使用されている消費電力を視覚的に把握し易くすることができる。よって、使用者は、各監視対象空間について、どの程度の電力を消費しているかを容易に認識することができる。また、使用者は、過剰な電力消費の有無の監視を容易に行うことができ、利便性の向上を図ることができる。
【００９５】
実施の形態５．
本実施の形態５では、上記実施の形態１の動作により各設備機器に割り当てた区画番号を利用した、設備機器の状態の監視の一例について説明する。
なお、本実施の形態における構成は上記実施の形態１と同様であり、同一部分には同一の符号を付する。
【００９６】
本実施の形態における空調機１０は、状態データ７００として、当該空調機１０に設定された設置温度の情報と、空調対象の監視対象空間内の温度（室内温度）の情報とを送信する。
制御装置１１０は、同一の区画番号を割り当てた空調機１０ごとに、各空調機１０に設定された設定温度と監視対象空間内の温度との差の平均値を、状態データ７００に基づき算出する。
そして、制御装置１１０は、配置図２００内の当該区画番号に対応する領域に、算出値の情報、または、算出値に対応する色を表示させる。例えば温度差が大きくなるに従い赤系色の色調を濃くする、などの表示をする。
【００９７】
なお、上記説明では設定温度と室内温度との温度差を算出したが、本発明はこれに限るものではない。
例えば、各空調機１０は、状態データ７００として、当該空調機１０に設定された設置温度の情報と、外気温度（監視対象空間外の温度）の情報とを送信する。
制御装置１１０は、同一の区画番号を割り当てた空調機１０ごとに、各空調機１０に設定された設定温度と外気温度との差の平均値を、状態データ７００に基づき算出する。
そして、制御装置１１０は、配置図２００内の当該区画番号に対応する領域に、算出値の情報、または、算出値に対応する色を表示させる。
【００９８】
また例えば、入力装置１３０から、監視対象空間ごとに目標設定温度の設定を入力する。
制御装置１１０は、同一の区画番号を割り当てた空調機１０ごとに、各空調機１０に設定された設定温度と、監視対象空間ごとに設定した目標設定温度との差の平均値を、状態データ７００に基づき算出する。
そして、制御装置１１０は、配置図２００内の当該区画番号に対応する領域に、算出値の情報、または、算出値に対応する色を表示させる。
【００９９】
このように、各空調機１０から温度に関する情報を取得して、この温度に基づき各領域の色を表示させることで、各監視対象空間での温度の状態を視覚的に把握し易くすることができる。
また、不必要に設定温度が高く（低く）設定されている場合など、設定温度が不適正な領域を容易に認識することができる。
また、当該管理装置１００に設定した目標設定温度と、各空調機１０で個別に設定された設定温度との温度差を、視覚的に認識することができ、管理装置１００の使用者（管理者）の意図通りの設定がされていない空調機１０を容易に認識することができる。
これにより、使用者は、過剰な空調の監視や空調不足の監視を容易に行うことができ、利便性の向上を図ることができる。
【０１００】
実施の形態６．
本実施の形態６では、上記実施の形態１の動作により各設備機器に割り当てた区画番号を利用した、設備機器の動作の制御の一例について説明する。
なお、本実施の形態における構成は上記実施の形態１と同様であり、同一部分には同一の符号を付する。
【０１０１】
［連動制御］
図２１は実施の形態６に係る連動設定情報のデータ構成を示す図である。
本実施の形態における記憶装置１５０は、連動設定情報８００が記憶される。
図２１に示すように、連動設定情報８００は、連動条件、連動元機器、連動先機器、連動動作を有している。
連動条件は、連動制御を実施させるための条件である。
連動元機器は、連動条件を設定する設備機器である。
連動先機器は、連動制御の対象となる設備機器である。
連動動作は、連動元機器が連動条件を満たしたとき連動先機器を動作させるため情報である。
例えば図２１において、連動元機器が「照明機器」、連動条件が「ＯＦＦ」の場合、照明機器がＯＦＦ状態のとき、連動先機器の「空調機」を、連動動作として「停止」させることを示す。
【０１０２】
制御装置１１０は、常時または定期的に、各設備機器から状態データ７００を取得し、上記のような連動設定情報８００を参照する。
そして、制御装置１１０は、連動元機器が連動条件を満たしたとき、当該連動元機器と同一の区画番号を割り当てた連動先機器を、連動動作の情報に従い動作させる。
【０１０３】
ここでは、上記実施の形態１の動作により、図９に示したような区画番号が各設備機器に割り当てられた場合を例に、図２１の連動設定情報８００による連動動作を、具体的に説明する。
（１）設備機器ＩＤが「１０」のカードキー３０がＯＮになった場合、制御装置１１０は、連動元機器「カードキー」の連動条件「ＯＮ」を満たしたと判断する。
（２）連動条件を満たす当該設備機器に割り当てられた、区画番号「３」を検出する。
（３）区画番号「３」が割り当てられた設備機器のうち、連動先機器「空調機」または「照明機器」が存在するか否かを判断する。ここでは設備機器ＩＤ「３」および「４」が空調機１０であるため、連動先機器「空調機」が存在すると判断する。
（４）制御装置１１０は、区画番号「３」が割り当てられた設備機器ＩＤ「３」および「４」の空調機１０について、連動動作である「運転」の動作をさせる。
【０１０４】
このように、連動設定情報８００に従い、同一の区画番号を割り当てた複数の設備機器について、連動した制御を行うことができる。例えば、当該監視対象空間を利用していることが想定される、照明機器のＯＮ状態や、カードキーのＯＮ状態のときに空調機１０を運転させ、利用していないことが想定される照明機器のＯＦＦ状態や、カードキーのＯＦＦ状態のときに空調機１０を停止させるなど、利用状況に会わせて設備機器を適切に運転させることができる。
また、監視対象空間を利用していないことが想定される場合には、空調機１０などの運転を停止させることで、無駄な空調を行うことを低減することができる。
【０１０５】
実施の形態７．
本実施の形態７では、上記実施の形態１の動作により各設備機器に割り当てた区画番号を利用した、設備機器の動作の制御の一例について説明する。
なお、本実施の形態における構成は上記実施の形態１と同様であり、同一部分には同一の符号を付する。
【０１０６】
本実施の形態における制御装置１１０は、配置図２００の画素あたりの監視対象空間での距離の情報に基づき、監視対象空間の平面面積を求める。
そして、制御装置１１０は、空調機１０の設置位置に対応する監視対象空間の平面面積に応じて、当該空調機１０の吹き出し空気の風速を制御する。
なお、配置図２００の画素あたりの監視対象空間での距離の情報は、予め、記憶装置１５０に記憶させても良いし、入力装置１３０から入力するようにしても良い。
【０１０７】
例えば、配置図２００の画素（ピクセル）あたりの監視対象空間での距離を０．０１［ｍ］とする。そして、配置図２００の各監視対象空間の範囲から平面面積を求める。
制御装置１１０は、平面面積が大きくなるほど空調機１０の風速設定が大きくなるように、各空調機１０を制御する。
なお、この風速設定は、例えば面積と空調機能力とを対応させたテーブル情報などから求めるようにしても良い。
【０１０８】
このような動作により、監視対象空間の広さに応じて空調機１０の運転を制御することができ、空間の広さに応じた適切な空調制御をすることができる。よって、各監視対象空間について一定の快適さを得ることが可能となる。
【０１０９】
実施の形態８．
本実施の形態８では、上記実施の形態１の動作により各設備機器に割り当てた区画番号を利用した、設備機器の動作の制御の一例について説明する。
なお、本実施の形態における構成は上記実施の形態１と同様であり、同一部分には同一の符号を付する。
【０１１０】
［スケジュール制御］
図２２は実施の形態８に係るスケジュール設定情報のデータ構成を示す図である。
本実施の形態における記憶装置１５０は、スケジュール設定情報９００が記憶される。
図２２に示すように、スケジュール設定情報９００は、区画種別、時刻ごとの利用の有無の情報、を有している。
区画種別は、各領域に対応する監視対象空間を識別する情報である。この区画種別は、区画情報５００の区画種別に対応する。
利用の有無の情報は、各区画種別ごとに、時刻、日付および曜日の少なくとも１つに応じた監視対象空間の利用の有無を識別する情報である。
例えば図２２に示すように、各時刻ごとに、利用有りを「○」、利用なしを「−」で識別する。
このスケジュール設定情報９００は、例えば入力装置１３０等によって使用者が入力しても良いし、設備機器に設けられたリモコンなどから入力し、通信装置１６０を介して管理装置１００が取得するようにしても良い。
【０１１１】
ここでは、上記実施の形態１の動作により、図９に示したような区画番号が各設備機器に割り当てられた場合を例に、図２２のスケジュール設定情報９００による連動動作を、具体的に説明する。
（１）制御装置１１０は、現在の時刻を常時または定期的に検出する。現在の時刻が７時の場合、スケジュール設定情報９００の時刻「７」の利用の有無を参照し、区画種別「会議室Ａ」、「会議室Ｂ」、および「部屋Ａ」は利用なし、区画種別「電算室」は利用有り、との情報を得る。
（２）制御装置１１０は、利用なしの区画種別に対応する区画番号を検出する。ここでは、区画番号「１」、「２」、「４」、「５」である。
（３）制御装置１１０は、区画番号「１」、「２」、「４」、「５」が割り当てられた設備機器の動作を全て停止（ＯＦＦ）させる。
【０１１２】
このような動作により、スケジュール設定情報９００に基づき、利用が無い監視対象空間に設置された設備機器の動作を停止させることができる。
また、監視対象空間の利用状況に応じて自動で運転の停止を行うことができるので、利用状況に会わせて設備機器を適切に運転させることができる。
また、監視対象空間を利用していない場合には、空調機１０などの運転を停止させることで、無駄な空調を行うことを低減することができる。
【０１１３】
実施の形態９．
本実施の形態９では、上記実施の形態１の動作により各設備機器に割り当てた区画番号を利用した、設備機器の動作の制御の一例について説明する。
なお、本実施の形態における構成は上記実施の形態１と同様であり、同一部分には同一の符号を付する。
【０１１４】
本実施の形態における制御装置１１０は、同一の区画番号を割り当てた空調機１０ごとに、各空調機１０に設定された設定温度と外気温度との差の平均値を、状態データ７００に基づき算出する。
そして、制御装置１１０は、算出値が所定値より小さくなるように、各空調機１０の設定温度を設定する。
【０１１５】
このような動作により、例えば区画種別が「廊下」に対応する区画番号を割り当てた空調機１０について、設定温度と外気温度との差を小さくすることができる。これにより、室内温度と外気温度との温度差により人体に与えるヒートショックを軽減することが可能となる。
【符号の説明】
【０１１６】
１０  空調機、２０  照明機器、３０  カードキー、４０  換気設備、１００  管理装置、１０１  空調機コントローラ、１０２  汎用コントローラ、１１０  制御装置、１３０  入力装置、１４０  表示装置、１５０  記憶装置、１６０  通信装置、２００  配置図、２０１  空調機Ａ表示、２０２  空調機Ｂ表示、２０３  空調機Ｃ表示、２０４  照明機器表示、２０５  換気設備表示、２０６  カードキー表示、２１０  表示判定ピクセル、３００  位置情報、４００  区画図、５００  区画情報、６００  能力情報、７００  状態データ、８００  連動設定情報、９００  スケジュール設定情報。
【図１】
2012123989.tif 000003
【図２】
2012123989.tif 000004
【図２Ａ】
2012123989.tif 000005
【図３】
2012123989.tif 000006
【図４】
2012123989.tif 000007
【図５】
2012123989.tif 000008
【図６】
2012123989.tif 000009
【図７】
2012123989.tif 000010
【図８】
2012123989.tif 000011
【図９】
2012123989.tif 000012
【図１０】
2012123989.tif 000013
【図１１】
2012123989.tif 000014
【図１２】
2012123989.tif 000015
【図１３】
2012123989.tif 000016
【図１４】
2012123989.tif 000017
【図１５】
2012123989.tif 000018
【図１６】
2012123989.tif 000019
【図１７】
2012123989.tif 000020
【図１８】
2012123989.tif 000021
【図１９】
2012123989.tif 000022
【図２０】
2012123989.tif 000023
【図２１】
2012123989.tif 000024
【図２２】
2012123989.tif 000025
【国際調査報告】
2012123989.tif 000026
2012123989.tif 000027
2012123989.tif 000028
2012123989.tif 000029